(57)【要約】      （修正有）【課題】最適な撮影を行うために、光学ファインダと電子ビューファインダが切換可能なカメラを提供する。【解決手段】光学ファインダと電子ビューファインダが切換可能なカメラにおいて、カメラが撮影レンズ１０５と焦点検出板１１６が交換装着可能であり、撮影レンズ１０５の特性を判別するための撮影レンズ検出手段１０６と、焦点検出板１１６の特性を判別するための焦点検出板検出手段１３２と、光学ファインダと電子ビューファインダを切り換えるファインダ切換手段を有しており、ファインダ切換手段が撮影レンズ検出手段１０６と焦点検出板検出手段１３２の検出結果から、光学ファインダか電子ビューファインダどちらか一方のファインダに切り換えることを特徴とする。【選択図】図２
2019020538.tif 000002
【特許請求の範囲】
【請求項１】
光学ファインダと電子ビューファインダを有し、該光学ファインダと電子ビューファインダが切換可能なカメラにおいて、該カメラが撮影レンズ１０５と焦点検出板１１６が交換装着可能であり、前記撮影レンズの特性を判別するための撮影レンズ検出手段１０６と前記焦点検出板１１６の特性を判別するための焦点検出板検出手段１３２と前記光学ファインダと前記電子ビューファインダを切り換えるファインダ切換手段１２８を有しており、該ファインダ切換手段１２８が前記撮影レンズ検出手段１０６と焦点検出板検出手段１３２の検出結果から、光学ファインダか電子ビューファインダどちらか一方のファインダに切り換えることを特徴とするカメラのファインダ装置。
【請求項２】
光学ファインダと電子ビューファインダを有し、該光学ファインダと電子ビューファインダが切換可能なカメラにおいて、該カメラが撮影レンズ１０５と焦点検出板１１６が交換装着可能であり、前記撮影レンズの特性を判別するための撮影レンズ検出手段１０６と前記焦点検出板１１６の特性を判別するための焦点検出板検出手段１３２と前記光学ファインダと前記電子ビューファインダを切り換えるファインダ切換手段１２８を有しており、該ファインダ切換手段１２８が前記撮影レンズ検出手段１０６と焦点検出板検出手段１３２の検出結果から、前記電子ビューファインダの表示内容を切り換えることを特徴とするカメラのファインダ装置。
【請求項３】
前記撮影レンズ検出手段１０６が判別する前記撮影レンズ１０５の特性が撮影レンズ１０５の開放Ｆナンバーであることを特徴とする請求項１又は請求項２に記載のカメラのファインダ装置。
【請求項４】
前記焦点検出板検出手段１３２が判別する前記焦点検出板１１６の特性が拡散特性であることを特徴とする請求項１又は請求項２に記載のカメラのファインダ装置。
【請求項５】
前記ファインダ切換手段１２８が前記撮影レンズ１０５の開放Ｆナンバー及び前記焦点検出板１１６の拡散特性の情報から、光学ファインダから電子ビューファインダのどちらか一方のファインダに切り換えることを特徴とする請求項１又は請求項２に記載のカメラのファインダ装置。
【発明の詳細な説明】
【技術分野】
【０００１】
本発明は、光学式ファインダと電子式ファインダを有する一眼レフカメラに関し、特に該一眼レフカメラに装着された電子機器や光学素子の種類応じたファインダの切換に関する。
【背景技術】
【０００２】
近年、一眼レフカメラにおいて光学式ファインダの光路中に光路分割プリズムを配置し、焦点検出板と光学的に等価の位置に液晶パネル等からなる表示素子を配置したファインダを有する一眼レフカメラが知られている。
【０００３】
従来の一眼レフカメラのファインダの構成は、撮影者が撮影レンズによって焦点検出板に結像された被写界像を接眼レンズを介して、観察するものである。一方、前記光分割プリズムが配置された一眼レフカメラでは、撮影者は前記表示素子の表示内容を前記接眼レンズを介して焦点検出板と等価の位置に観察することが可能となっている。
【０００４】
また、前記表示素子の表示内容は、撮像素子に結像された被写界像の画像や焦点検出領域等の撮影情報表示など、各撮影モードに適した任意の表示が可能となっている。
【０００５】
ここで、焦点検出板に結像された被写界像を観察するファインダを光学式ファインダ（以下、ＯＶＦと記す）、前述した撮像素子に結像された被写界像の画像を観察するファインダを電子式ファインダー（以下、ＥＶＦと記す）と呼ぶこととする。
【０００６】
前記ＯＶＦとＥＶＦの特徴としては、ＯＶＦは被写界像を鮮明に見る事が可能であるが、ＥＶＦは表示素子のＤＰＩ（ドットパーインチ）等の仕様によっては解像力が不十分であるなど、鮮明に像を見る事が出来ない場合もある。
【０００７】
更には、ＥＶＦは撮像素子に結像された被写界像の画像を常に表示素子に転送するため、電力消費が必要となるが、ＯＶＦは光学像を観察するため、ＥＶＦと比べ電力消費は少なくなる。
【０００８】
また、ＥＶＦは表示素子を構成する液晶パネルのバックライトの仕様によって、ＯＶＦよりも被写体を明るく観察することが出来ない場合があるが、被写体が暗い場合にはＯＶＦよりも明るく視認することが可能な場合もある。
【０００９】
以上、述べたようにＯＶＦとＥＶＦには各々のメリット・デメリットがあるため、撮影状況に応じて、ＯＶＦとＥＶＦを切り替えることが有効的な使用方法だと考えられる。
【００１０】
上記、ＯＶＦとＥＶＦの切り替えを行う技術として、前述したＯＶＦとＥＶＦを有する一眼レフカメラにおいて、画像再生時には強制的にＥＶＦに切り替え、再生画像をすぐに撮影者が視認することが可能となっており、再生画像の確認終了後には撮影時に使用していたＯＶＦ，ＥＶＦどちらかのモードに復帰するものがある（特許文献１）。
【００１１】
また、別の背景として、従来より一眼レフカメラは前記焦点検出板が交換可能なものが製品化されており、その目的として、撮影者が撮影条件やファインダ被写体像の見えの好みに応じて、任意の焦点検出板に交換するというものである。
【００１２】
好みとは、具体的にはファインダ像の明るさ、ピントの山の掴みやすさであるが、これらは焦点検出板及び装着する撮影レンズの特性により決定されるものである。
【００１３】
前述したＯＶＦとＥＶＦの見えの優位差は該装着している焦点検出板と撮影レンズの組合せにも依存するため、撮影者がＯＶＦとＥＶＦのどちらを視認する方が好ましいかを判断がしづらいという懸念がある。
【００１４】
前記装着している焦点検出板の特性に応じて、ファインダ表示を切り替える技術としては、装着された焦点検出板の種類に応じて、ＥＶＦの表示内容を切り替えるという技術も開示されている（特許文献２）。
【先行技術文献】
【特許文献】
【００１５】
【特許文献１】特開２００４−３５７１２３号公報
【特許文献２】特開２００９−３３５７６号公報
【発明の概要】
【発明が解決しようとする課題】
【００１６】
以上述べたように、ＯＶＦとＥＶＦの切換やＯＶＦ使用時の焦点検出板の特性に応じた表示内容の切換に関しては、特許文献１、２の技術が開示されているが、いずれも撮影時のＯＶＦとＥＶＦのどちらが撮影者にとって、望ましいファインダであるかの言及がされていない。
【００１７】
そこで、本発明の目的は、光学ファインダと電子ビューファインダを有し、該光学ファインダと電子ビューファインダが切換可能なカメラにおいて、該カメラが撮影レンズと焦点検出板が交換装着可能であり、前記撮影レンズの特性を判別するための撮影レンズ検出手段と前記焦点検出板の特性を判別するための焦点検出板検出手段と前記光学ファインダと前記電子ビューファインダを切り換えるファインダ切換手段を有しており、該ファインダ切換手段が前記撮影レンズ検出手段と焦点検出板検出手段の検出結果から、光学ファインダか電子ビューファインダどちらか一方のファインダに切り換える事を可能としたカメラのファインダ装置を提供することである。
【課題を解決するための手段】
【００１８】
上記の目的を達成するために、本発明は、
光学ファインダと電子ビューファインダを有し、該光学ファインダと電子ビューファインダが切換可能なカメラにおいて、該カメラが撮影レンズと焦点検出板が交換装着可能であり、前記撮影レンズの特性を判別するための撮影レンズ検出手段と前記焦点検出板の特性を判別するための焦点検出板検出手段と前記光学ファインダと前記電子ビューファインダを切り換えるファインダ切換手段を有しており、該ファインダ切換手段が前記撮影レンズ検出手段と焦点検出板検出手段の検出結果から、光学ファインダか電子ビューファインダどちらか一方のファインダに切り換えることを特徴とする。
【発明の効果】
【００１９】
本発明によれば、光学ファインダと電子ビューファインダを有し、該光学ファインダと電子ビューファインダが切換可能なカメラにおいて、該カメラが撮影レンズと焦点検出板が交換装着可能であり、前記撮影レンズの特性を判別するための撮影レンズ検出手段と前記焦点検出板の特性を判別するための焦点検出板検出手段と前記光学ファインダと前記電子ビューファインダを切り換えるファインダ切換手段を有しており、該ファインダ切換手段が前記撮影レンズ検出手段と焦点検出板検出手段の検出結果から、光学ファインダか電子ビューファインダどちらか一方のファインダに切り換え、撮影者にとって望ましいファインダで撮影を行うことが可能なカメラを提供することができる。
【図面の簡単な説明】
【００２０】
【図１】ファインダの明るさ及びピントの掴みやすさのテーブルデータ説明図
【図２】本実施例におけるＯＶＦ使用時のカメラの概略図
【図３】本実施例におけるＥＶＦ使用時のカメラの概略図
【図４】ファインダ内表示説明図
【図５（ａ）】焦点検出板の拡散特性説明図
【図５（ｂ）】焦点検出板の拡散特性説明図
【図５（ｃ）】焦点検出板の拡散特性説明図
【図６】焦点検出板の拡散特性と撮影レンズのＦナンバーに基づくファインダの明るさ説明図
【図７】焦点検出板の拡散特性と撮影レンズのＦナンバーに基づくピントの掴みやすさ説明図
【図８】本実施例におけるカメラの電気ブロック図
【図９】本実施例におけるカメラの動作フローチャート
【発明を実施するための形態】
【００２１】
以下に、本発明の好ましい実施の形態を、添付の図面に基づいて詳細に説明する。
【実施例１】
【００２２】
以下、図１〜９を参照して、本発明の第１の実施例による、撮像装置について説明する。なお、図１〜９において同一の要素部品には同じ番号がふってある。
【００２３】
図２は本発明の実施形態にかかるＯＶＦ使用時のカメラの概略構成を示す図である。
同図において、１０１はＣＰＵ（中央演算処理装置）であり、本カメラの動作はＣＰＵ１０１により制御される。１０５は撮影レンズであり、ＣＣＤやＣＭＯＳからなる撮像素子（以下、撮像センサと記す）１０７に被写界像を結像させている。
【００２４】
なお、同図に書かれた撮影レンズ１０５は、便宜的に１枚のレンズ１０５ａで表現しているが、実際には複数のレンズから成り立っており、レンズ１０５ａを動かすことで撮影レンズ１０５の焦点位置や撮影倍率を調整することが可能となっている。
【００２５】
また、本発明において撮影レンズ１０５は焦点距離や開放Ｆナンバーが異なる撮影レンズが交換可能となっている。
【００２６】
カメラが、装着されている撮影レンズ１０５の焦点距離や開放Ｆナンバー．を判別する撮影レンズ検出手段としては、撮影レンズ検出部１０６を該撮影レンズ１０５が有しており、カメラ内のＣＰＵ１０１との該撮影レンズ検出部１０６の通信接続により、撮影レンズ１０５が判別可能となっている。
【００２７】
また、一般的なカメラの動作として撮影レンズ１０５の焦点位置合わせは後述の焦点検出制御部１１９で制御を行う自動焦点位置合わせ（ＡＦモード）と撮影者がピント位置をファインダを覗きながら調整する手動焦点位置合わせ（ＭＦモード）があり、本発明においては、撮影レンズ１０５の本体に不図示の切換スイッチ等の構造部材によっての焦点位置合わせを自動で行うか、手動で行うかを切換可能な焦点位置合わせ切換手段を有している。また、前記焦点位置合わせが自動か手動どちらに設定されているかの判別も前記撮影レンズ検出部１０６とカメラ内のＣＰＵ１０１の通信により行われる。
【００２８】
次に、１１１は主ミラーであり、撮影レンズ１０５の被写界光を後述する焦点検出板（以下、ピント板と記す）１１６に導くためのミラーである。該ピント板１１６は、撮影レンズ１０５の結像位置、つまりは撮像素子１０７と共役の位置に配置されており、該撮影レンズ１０５を介した被写界像が該ピント板１１６に１次結像されている。
【００２９】
撮影者は該１次結像された被写界像をペンタプリズム１２０、接眼レンズ１２７を介して観察可能な、いわゆるＴＴＬ方式の光学ファインダ構成となっている。
【００３０】
また、前記ピント板１１６は、撮影目的や撮影者の視覚的好みに応じて異なったタイプに交換可能である。一般的に明るいファインダ像を好む場合は、拡散特性の低い所轄素通しに近いマット部（ピント板の表面部）を有するピント板が装着される。逆に拡散特性の高いマット部を有するピント板が装着された場合は、撮影レンズ１０５の合焦状態（ピントの合い具合）の確認が容易になる特徴がある。
【００３１】
本発明においては、例えば拡散特性の種類に応じてピント板１１６にそれぞれ異なる位置に突起部が設けてあり、カメラがその突起部の位置を検出して、どの種類のピント板１１６が装着されているかを検知可能なピント板検出手段１３２を設けてある。上記ピント板１１６の特性とファインダの見えに関しての詳細は後述する。
【００３２】
また、ピント板１１６近傍に配置された１１７は視野枠であり、被写界光束の周辺部を遮光することによって撮像センサ１０７にて撮像される領域を撮影者に視認させるためのものである。１１８は撮像パラメータ表示部であり、導光プリズム、ペンタプリズム１２０、後述のプリズム１２６、接眼レンズ１２４を介して、絞り値やシャッタ速度など、カメラの各種撮影パラメータを撮影者に知らしめるためのものである。
【００３３】
一方、前記主ミラー１１１は半透過ミラーであり、透過した一部の光束はサブミラー１１２を通じて焦点検出制御部１１９に導かれる。焦点検出制御部１１９は焦点検出用の一対のラインＣＣＤセンサを有し、ラインＣＣＤセンサの出力の位相差（デフォーカス量）を算出する。焦点検出制御部１１９はまた、ラインＣＣＤセンサの蓄積時間とＡＧＣ（オートゲインコントロール）の制御も行う。
【００３４】
前述したように撮影レンズ１０５は焦点位置合わせ切換手段を有しており、該焦点位置合わせ切換手段が自動になっている場合は、該焦点検出制御部１１９により、周知の位相差検出方式の焦点検出動作が行われ、被写体に対して、自動的に撮影レンズ１０５ａを焦点位置に駆動する、いわゆるＡＦ（オートフォーカシング）動作が行われる。
【００３５】
なお、前記焦点検出動作は一般的に複数領域での検出動作が可能であり、本実施例では図４のように撮像範囲の中央、上下左右に１９点の焦点検出領域１２９が配置されている。
【００３６】
再び図２に戻って、ペンタプリズム１２０後方に配置された１２６は１２６ａ及び１２６ｂからなるプリズムであり、図のように前記１２６ａ、１２６ｂの境界面が反射面となっており、該反射面の角度はピント板１１６に結像された被写界像を透過し、且つ後述のファインダ内表示部１２３からファインダ内表示観察用レンズ１２４、ファインダ内表示用ミラー１２５を介した像を反射して、接眼レンズ１２７側に導かれる角度に設定されている。
【００３７】
前記ファインダ内表示部１２３は例えば横１０２４×縦７６８の画素を有する０．５インチの液晶パネルと照明用バックライトからなる表示素子である。該ファインダ内表示部１２３の見えとしては、上述した画素数とパネルサイズから決まるＤＰＩ（ドットパーインチ）で解像力が決まり、また明るさに関しては、前記照明用バックライトに用いられるＬＥＤ等の発光素子の輝度限界が明るさの限界となる。
【００３８】
１２４はルーペの役割を持つファインダ内表示観察用レンズで、１２５はアルミ蒸着等による反射面を有するファインダ内表示用ミラーである。
【００３９】
該ファインダ内表示観察用レンズ１２４は２枚で構成され、拡大倍率が約１．７倍となっており、図４のファインダ視野枠１１７の領域と前記ファインダ内表示部１２３の表示領域とが等しく観察可能で、且つ、該領域内に焦点検出領域や撮影後の画像データ等、任意の表示を行うことが可能となっている。例えば、図４は、ファインダ内表示部１２３の表示内容が前述した１９点の焦点検出領域である状態を示した図となっている。
【００４０】
また、ファインダ内表示部１２３の配置はファインダ内表示観察用レンズ１２４、ファインダ内表示用ミラー１２５を介し、撮影者の目に対して、ピント板１１６の像と共役の関係になるよう配置されている。上述した構成により、撮影者はピント板１１６に結像された被写界像とファインダ内表示部１２３の表示像を、同視度で視認可能となっている。
【００４１】
次に、１２２はシリコンフォトダイオードからなる測光センサであり、測光レンズ１２１によって前記ピント板１１６に結像した被写界像を測光センサ１２４のチップ上に２次結像させることで被写界の輝度分布を検出する測光手段である。
【００４２】
ここで測光センサ１２４のチップ部は、横９×縦７の６３領域からなる測光領域に分割されており、各々の領域に対応した被写界の輝度検出を可能としている。
【００４３】
測光センサ１２４から得られた横９×縦７の６３領域からなる被写界輝度値に対して、主要被写体に適正な露出を行うために焦点検出領域に重みをつける等、所定の重みづけ演算によって露出制御値を算出し、不図示の撮影レンズ１０５内の開口絞りの制御値及びフォーカルプレーンシャッタ１１３のシャッタ速度制御値を設定する。該制御値によって、撮像センサ１０７は適正な光量で露光が行われることが可能となっている。
【００４４】
一方、不図示のＳＷ１４０はレリーズＳＷであり、同一部材の押込量によって第一段階（半押し）と第二段階（全押し）の検知が可能となっている。以下、該ＳＷ１４０の第一段階をＳＷ１、第二段階をＳＷ２と記す。
【００４５】
ＳＷ１４０の動作としては、撮影者がＳＷ１まで押し込むと、前述した焦点検出動作と露出制御動作が行われ、撮影レンズ１０５の焦点調節動作とカメラの露出制御値の設定が行われる。続けて、ＳＷ２まで押し込むと、主ミラー１１１が不図示の撮影レンズ１０５の光束外に退避され、前記露出制御動作で設定された値に従い、撮影レンズ１０５の絞り値とフォーカルプレーンシャッタ１１３のシャッタ速度が制御される。入射した被写界光束は撮像センサ１０７により、光電変換処理される。その後、撮影済み画像として記録メディアに記録されるとともに、外部表示部１１５に撮影画像の表示がなされる。
【００４６】
以上、ＳＷ１４０の押し込みによる焦点検出動作、露出制御動作及び主ミラー１１１の退避とその後の画像の記録までの動作をＯＶＦ使用時のカメラの基本的な撮影動作とする。
続いて、図３を用いて、ＥＶＦ使用時のカメラの基本的な撮影動作の説明を行う。
【００４７】
図３は撮影者がピント板１１６に結像された被写界像ではなく、撮像素子１０７に結像した被写界像をＣＰＵ１０１を介してファインダ内表示部１２３に転送し、該ファインダ内表示部１２３の表示を被写界像として観察する状態を示している。
【００４８】
構造部材や光学部材の構成は変わらないが、ＥＶＦ使用時はＯＶＦ使用時と異なり、主ミラー１１１及びサブミラー１１２は撮影レンズ１０５の光路外に退避した状態となっている。
【００４９】
また、フォーカルプレーンシャッタ１１３は開口状態となり、撮影レンズ１０５を通過した被写界像は常に撮像素子１０７に入射した状態となっている。
【００５０】
前記被写界像の情報は、撮像素子１０７によって光電変換処理された後、不図示の表示制御部１１０を介して、間引き処理やγ、ゲイン調整等、前記ファインダ内表示部１２３で表示するための最適な処理がされた後、ファインダ内表示部１２３に転送され、撮影者は焦点検出板１１６と同じ視度で、前記ファインダ内表示部１２３を被写界像として視認することとなる。
【００５１】
なお、焦点検出動作及び露出制御動作に関しては、撮像素子１０７に結像された被写界像の情報を基に制御されることとなり、撮影者が不図示のＳＷ１を押すと焦点検出動作と露出制御動作が行われ、ＳＷ２まで押し込むと、撮影レンズ１０５の絞り値とフォーカルプレーンシャッタ１１３のシャッタ速度が制御されることとなる。その後の撮像素子１０７の光電変換処理以降の動作は前述したＯＶＦ使用時と同様の動作となる。
【００５２】
以上がＯＶＦ使用時とＥＶＦ使用時のカメラの構成及び基本動作の説明である。
続いて、ファインダ切換手段１２８の説明を行う。ファインダ切換手段１２８はＯＶＦとＥＶＦを切り換えるための切換手段である。ファインダ切換手段１２８はＣＰＵ１０１に接続されており、ＣＰＵ１０１の指示により、ＯＶＦとＥＶＦの切換が可能となっている。また、本実施例においてＯＶＦとＥＶＦの切換は撮影者が任意に切換可能となっており、例えばカメラ本体にファインダ切換手段１２８の役割を持つ操作部材を設けておくことで、撮影者が任意のタイミングでＯＶＦとＥＶＦが切換可能となっている。
【００５３】
例えば、ＯＶＦ使用時に撮影者が前記ファインダ切換手段１２８を操作すると、主ミラー１１１とサブミラー１１２が退避し、フォーカルプレーンシャッタ１１３が開放状態され、被写界像が常に撮像素子１０７に入射した状態となり、撮影者はＥＶＦを介して被写界像を視認することとなる。
【００５４】
ここで、本発明の目的を明らかにする。
【００５５】
前述したように本実施例におけるカメラは撮影者がファインダ切換手段１２８により、ＯＶＦとＥＶＦの切換が可能となっている。
【００５６】
しかしながら、明るさ・ピントの掴みやすさ等、撮影者にとってＯＶＦとＥＶＦのどちらのファインダが用途に合ったファインダか否かを判定することが困難である。更には、前述したように、ファインダの明るさ・ピントの掴みやすさは装着される撮影レンズ１０５やピント板１１６の特性によって、変化することとなる。
【００５７】
ここで、前記ピント板１１６の拡散特性とファインダの見えについて詳細な説明を行う。
【００５８】
ピント板１１６は一般的にフレネル面とマット面を有しており、該マット面はマイクロレンズが周期的に配置された（マイクロレンズアレイ）形状となっていて、該マイクロレンズの形状によって前記ピント板１１６の拡散特性は決定される。また、前記ピント板１１６の拡散特性とファインダの見えの関係としては、被写界光束を該マイクロレンズが拡散させた光束が撮影者の目に届く事で、撮影者はボケ像を視認することとなり、ピント板１１６上の被写界像のピント合い具合を視認可能となっている。
【００５９】
次に、図５ａ〜ｃは種々特性の異なるピント板１１６ａ〜ｃの拡散角度とそれぞれの角度における拡散光量を示した図である。前記マイクロレンズアレイに入射した被写界光（平行光）を１００％とし、該被写界光をどの角度に何％の割合で拡散させる特性を有するかを示した図となっている。また、同図の意味合いとしては撮影レンズ１０５のＦナンバーによって、マイクロレンズアレイに入射する被写界光束の角度は決定されるが、各Ｆナンバーの角度をもった光束を撮影者の目に到達させる特性も示している。
【００６０】
図５ａは一般的なカメラの撮影レンズ１０５のＦナンバーのＦ４．０〜Ｆ５．６の範囲に適した拡散特性を有するピント板１１６ａの拡散特性説明図である。ここで、図５に示した拡散角度±５°〜±１０°は、前記撮影レンズ１０５のＦナンバーＦ４．０〜Ｆ５．６と対応している。
【００６１】
ピント板１１６ａ装着時は、Ｆ４．０〜Ｆ５．６の被写界光束が撮影者の目に届くことで、該Ｆ４．０〜Ｆ５．６の撮影レンズを装着した際に、明るさ・ピントの掴みやすさが良好になる特性を有している。
【００６２】
図５ｂは前述したピント板１１６のマット面が素通しに近いピント板１１６ｂの拡散特性説明図である。図５ａで説明したピント板１１６ａの特性と異なり、マイクロレンズアレイに入射する被写界光束は拡散されず、撮影者の目には被写界光束の内の中心光束のみが導かれることとなる。つまりは、どのＦナンバーの撮影得レンズを装着した時でも明るさは一定で、明るいＦナンバーと暗いＦナンバーのどのレンズを装着しても明るく被写界像を視認することが可能であるが、一方、Ｆナンバー毎の被写界光束は撮影者の目に到達しないため、ボケを視認することが困難な特性を有している。
【００６３】
図５ｃはピント板１１６のマット面の拡散特性が本実施例において最も強いピント板１１６ｃの拡散特性説明図である。前記ピント板１１６のマイクロレンズアレイに入射する被写界光束は広い拡散角度に対して、図のように拡散され、特徴としては撮影レンズのＦナンバーによる撮影者の目に届く光量の変化量が多く、例えば、前記ピント板１１６ａや１１６ｂと比べ、撮影レンズ１０５装着時のファインダの明るさが最も暗くなる特性を有しているが、逆のどのＦナンバーの被写界光束に対しても拡散特性を有しているため、撮影者はボケを視認しやすく、ピントが掴みやすい特性を有している事となる。
【００６４】
以上、ピント板１１６の拡散特性の説明を行ったが、次に該拡散特性とファインダの明るさ・ピントの掴みやすさについて説明を行う。図５ａ〜ｃの図中に示された斜線部はＦ２．８の撮影レンズを装着した時の撮影者の目に届く光量を示している。ピント板１１６ａ装着時にＦナンバー５．６の撮影レンズを装着した場合は、被写界光量の５０％の光が撮影者の目に届くこととなり、同様にピント板１１６ｂの装着時は８０％、ピント板１１６ｃ装着時は３０％の光量が撮影者に目に届くこととなる。
【００６５】
続いて、図６は前記ピント板１１６ａ〜ｃの撮影レンズ１０５のＦナンバーと撮影者の目に届く光量の関係図を示している。Ｆ５．６のレンズ装着時に撮影者の目に届く光量の割合が図５ａ〜ｃの斜線部と対応している。
【００６６】
前述したように、ピント板１１６ａはレンズのＦナンバーが暗くなっていっても光量はあまり変化せず、逆にピント板１１６ｃはレンズのＦナンバーが暗くなるのにほぼ比例し、光量が低下することを示している。
【００６７】
ここで、前述したＥＶＦ使用時のファインダの明るさについても同様の記述を行う。
【００６８】
表示素子の明るさの限界は、先述したファインダ内表示素子が有するバックライトの個数や輝度の限界値に左右されることとなり、ここでは便宜上前記ファインダ内表示素子の発光輝度限界をＢＶ６とする。
【００６９】
例えば、被写界の輝度がＢＶ７の時には、図６の被写界光束の撮影者が視認する輝度値は、ＢＶ７に被写界光量と拡散特性の割合をかけた数値となり、ここでは、ピント板１１６ｃ装着時で且つ撮影レンズのＦナンバーが４．０のＯＶＦの明るさとＥＶＦの限界の明るさが等しいこととなる。つまりは被写界輝度値と装着している撮影レンズ１０５の開放Ｆナンバー及び装着しているピント板の拡散特性とファインダ内表示素子の限界輝度値から、ＯＶＦとＥＶＦのどちらの方が明るいファインダかをカメラが識別することが可能となっている。
【００７０】
次にピントの掴みやすさについて説明を行う。
【００７１】
撮影者にとって、被写界像のボケ具合は一般的に被写界の内、装着している撮影レンズ１０５の開放Ｆナンバー．に対応した光束がどれくらい撮影者の目に届くかと周辺の前記撮影レンズ１０５の開放Ｆナンバー．の周囲のＦナンバー．光束との差が大きいと撮影者がボケ像を視認しやすくなる。
【００７２】
図７は図５ａ〜ｃで説明を行った拡散特性の異なるピント板１１６ａ〜ｃの着目するＦナンバー．と隣接するＦナンバー．の光量の差分を示した図である。
【００７３】
前述したように、拡散特性の強いピント板１１６ｃは開放Ｆナンバー．１．８のレンズ装着時にピント板１１６ａ、ｂと比較し、ピントが掴みやすい事を示している。また、ピント板１１６ａは開放Ｆナンバーが５．６のレンズの装着時にピント板１１６ｂ、ｃと比較し、ピントが掴みやすいこととなる。ここで、ファインダ表示素子のピントの掴みやすさとの関係の説明を行う。ファインダ表示部１２３を視認した際のピントの掴みやすさは、該ファインダ表示素子の解像力に依存することとし、ファインダ表示素子のドットの細かさから決定されるパラメータと考えられる。ここでは、便宜上図７に示したように、撮影レンズのＦナンバー．が変化してもファインダ表示部１２３つまりはＥＶＦのピントの掴みやすさは固定のパラメータとなる。
【００７４】
ＯＶＦとＥＶＦのピントの掴みやすさの比較としては、例えばＦナンバーがＦ２．８の撮影レンズ１０５装着時はピント板１１６ａ及びｂ装着時は、ＯＶＦよりもＥＶＦの方がピントが掴みやすく、ピント板１１６ｃ装着時はＥＶＦよりもＯＶＦの方がピントが掴みやすいことを示している。
【００７５】
続いて、図８は、本発明の第１の実施例によるデジタルカメラの概略構成を示す電気ブロック図である。
【００７６】
同図において、１０１は前述のＣＰＵ（中央演算処理装置）であり、その内部には不揮発性メモリであるＥＥＰＲＯＭ１０１ａが構成されている。またＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、撮影レンズ制御部１０６、ピント板検出手段１３２、ファインダ切換手段１２８、レリーズＳＷ１４０、電源を供給するためのＤＣ／ＤＣコンバータ１１７、測光センサ１３０が各々接続され、画像処理部１０８には撮像センサ制御部１０７、さらに撮像センサ１０７が接続されている。撮像センサ１０７は有効画素数約１０００万画素（３８８８×２５９２）を有している。
【００７７】
そして、表示制御部１１０には外部表示部１１５が接続されており、外部表示部１１５は撮像センサ１０７にて撮像された画像を縦横各々間引き処理された画像を表示することのできるＴＦＴカラー液晶である。さらに表示制御部１１０は、撮像パラメータ表示部１１８やファインダ内表示部１２３の表示の制御も行っている。
【００７８】
ＣＰＵ１０１はＲＯＭ１０２内の制御プログラムに基づいて各種制御を行う。これらの制御の中には、画像処理部１０９から出力された撮影画像信号を読み込み、ＲＡＭ１０３へ転送を行う処理、同様にＲＡＭ１０３より表示制御部１１０へデータを転送する処理、また、画像データをＪＰＥＧ圧縮しファイル形式でデータ格納手段１０４へ格納する処理を含んでいる。
【００７９】
さらにＣＰＵ１０１は、撮像センサ１０７、撮像センサ制御部１０８、画像処理部１０９、表示制御部１１０などに対してデータ取り込み画素数やデジタル画像処理の変更指示を行う。
【００８０】
１１９は前述の焦点検出用の一対のラインＣＣＤセンサを含んだ焦点検出手段であり、該ラインセンサから得た電圧をＡ／Ｄ変換し、ＣＰＵ１０１に送る。またＣＰＵ１０１の指示のもとに、焦点検出手段１１９はラインセンサの蓄積時間とＡＧＣ（オートゲインコントロール）の制御も行う。なお、本発明に係る測光センサ１２２の蓄積時間とゲインコントロールはＣＰＵ１０１の指示のもとに行われる。
【００８１】
また、レリーズＳＷ１４０の操作に伴う撮影動作の指示、さらに、各素子への電源の供給をコントロールするための制御信号をＤＣ／ＤＣコンバータ１４２に対して出力する処理等も、ＣＰＵ１０１の制御のもとに行われている。
【００８２】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００８３】
データ格納手段１０４は、ＣＰＵ１０１によりＪＰＥＧ圧縮された撮影画像データ、あるいはアプリケーションより参照される各種付属データ等をファイル形式で格納しておくためのフラッシュメモリである。
【００８４】
撮像センサ１０７は撮影レンズ１０５によって投影された撮影画像を光電変換処理し、アナログ電気信号にするための素子である。この撮像センサ１０７は、ＣＰＵ１０１よりの解像度変換指示に従って、水平方向および垂直方向の間引き画素データの出力が可能である。
【００８５】
撮像センサ制御部１０８は、撮像センサ１０７に転送クロック信号やシャッタ信号を供給するためのタイミングジェネレータ、センサ出力信号のノイズ除去、ゲイン処理を行うための回路、さらに、アナログ信号を１０ビットデジタル信号に変換するためのＡ／Ｄ変換回路、また同様に、ＣＰＵ１０１よりの解像度変換指示に従って、画素間引き処理を行うための回路等を含んでいる。
【００８６】
また、画像処理部１０９は、撮像センサ制御部１０８より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら、撮影レンズ１０５、撮像センサ１０７、撮像センサ制御部１０８、画像処理部１０９から撮像手段が構成されている。
表示制御部１１０は、画像処理部１０９から転送されたＹＵＶデジタル画像データ、あるいはデータ格納部１０４中の画像ファイルに対してＪＰＥＧの解凍を行ったＹＵＶデジタル画像データを受け取り、ＲＧＢデジタル信号へ変換したあと外部表示部１１５へ出力する処理を行う。
【００８７】
電池１４１はリチャージャブルの２次電池あるいは乾電池である。
【００８８】
また、ＤＣ／ＤＣコンバータ１４２は、電池１４１からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１４２はＣＰＵ１０１からの制御信号により、各々の電圧供給の開始、停止を制御できるようになっている。
【００８９】
次に、図９のフローチャートを用いて、本発明に係るカメラ動作の説明を行う。
【００９０】
ステップＳ２００において、一眼レフカメラの不作動状態から不図示の電源スイッチをＯＮにすると撮影動作が開始される。
【００９１】
ステップＳ２０１において、ピント板検出動作が行われる。本実施例では前記ピント板検出手段１３２により、前述のピント板１１６ａ〜ｃのうち、どのピント板１１６が装着されているかが判定され、その情報が前記ＲＡＭ１０３に保存される。
【００９２】
続いてステップＳ２０２では、撮影レンズ判別手段により、撮影レンズ判別動作が行われ、装着されている撮影レンズ１０５の開放Ｆナンバーや焦点距離の情報が、ステップＳ２０１のピント板１１６の情報同様、撮影レンズの情報もＲＡＭに保存されることとなる。
【００９３】
ステップＳ２０３では、前記撮影レンズ判別手段の情報から焦点位置合わせがＭＦモードかＡＦモードか否かを判定する。
【００９４】
本実施例では、撮影レンズ１０５の焦点位置合わせのモードがＭＦかＡＦか否かで、明るさとピントの掴みやすさのどちらを優先してＯＶＦとＥＶＦの切換を行うか否かを判定することとする。
【００９５】
撮影レンズ１０５の焦点位置合わせはＭＦの場合、ファインダの像を見ながら撮影レンズ１０５のピント位置を合わせるため、ピントの合わせやすさが重要となる。一方焦点位置合わせがＡＦの時はピント合わせはカメラ動作に任せられるため、ファインダは明るさを優先した見えが撮影者にとっては望ましいと考えられる。
【００９６】
続いて、図１は図６及び図７で説明を行ったピント板１１６とファインダ表示部１２３のファインダの明るさとピントの掴みやすさ及び撮影レンズ１０５の開放Ｆナンバーから決定される、ＯＶＦとＥＶＦのどちらが撮影者にとって望ましいかを示すテーブルデータである。なお、図１ａは図６の関係図より決定されるファインダの明るさを優先した場合のテーブルデータである。
【００９７】
前述のとおり、ＯＶＦとＥＶＦのどちらが明るいかは、被写界輝度によっても決定されるため、測光センサ１２２の情報から被写界輝度を算出した上で図１ａに示すＯＶＦとＥＶＦの関係が決定される。ここでは、図６を用いて説明した被写界輝度がＢＶ７の時のＯＶＦとＥＶＦの関係がテーブルデータとして保存されていることとする。
【００９８】
一方、図１ｂは図７で示した関係図から決定されるファインダのピントの掴みやすさを優先した場合のテーブルデータであり、ＲＯＭ１０２に保存されていることとする。
【００９９】
また、撮影レンズ１０５のＦナンバーはＦ２．０以下、Ｆ２．８〜Ｆ４．０、Ｆ４．０〜Ｆ５．６、Ｆ５．６〜Ｆ８．０、Ｆ８．０以上にグループ分けしている。
【０１００】
また、ＯＶＦとＥＶＦの明るさ及びピントの掴みやすさが同じ場合は、消費電力を少なくするためにＯＶＦを優先するテーブルとなっている。
【０１０１】
ステップＳ２０３でＡＦが選択されていた場合は、ステップＳ２０４に進み、測光センサ１２２の出力から被写界輝度の測定を行う。ここでは、被写界輝度がＢＶ７であったとする。次に、ステップＳ２０５で前述の図１ａのファインダの明るさを優先した場合のテーブルデータから、ＯＶＦとＥＶＦのどちらが明るいかを判定する動作を行い、ステップＳ２０６でファインダ切換手段１２８によって、該ステップＳ２０５で判定された明るい方のファインダに切り替わることとなる。
【０１０２】
ステップＳ２０７では、不図示のＳＷ１１４のＳＷ１が押されているか否かの検出を行い、押されていた場合はステップＳ２０８に進み、押されていない場合はカメラはＳＷ１が押されるまで待機する。
【０１０３】
ステップＳ２０８では焦点検出制御部１１９により撮影レンズ１０５のピント位置が被写体に対して調節される。
【０１０４】
続くステップＳ２０９で測光センサ１２２の出力からカメラの露出値である撮影レンズ１０５の絞り値とフォーカルプレーンシャッタ１３３のシャッタ速度を内蔵されたプログラムにより演算する。
【０１０５】
続くステップＳ２１０において、さらにスイッチＳＷ１４０がＳＷ２まで押し込まれたか否かを判定する。ステップＳ２１０において、ＳＷ２がＯＮされたと判定した場合、ステップＳ２１１において、ＣＰＵ１０１は不図示のシャッタ制御部、絞り駆動部、撮像素子制御部１０７に各々信号を送信して、公知の撮影動作を行う。
【０１０６】
ステップＳ２０３に戻り、ＭＦが選択されて場合は、ステップＳ２１２に進み、図１ｂのピントの掴みやすさを優先した場合のテーブルデータから、ＯＶＦとＥＶＦのどちらがピントが掴みやすいかの判定を行い、ステップＳ２１３でファインダ切換手段１２８により、撮影者にとって望ましい方のファインダに切り替わることとなる。
【０１０７】
ステップＳ２１４では、不図示のＳＷ１１４のＳＷ１が押されているか否かの検出を行い、押されていた場合はステップＳ２１５に進み、押されていない場合はカメラはＳＷ１が押されるまで待機する。
【０１０８】
ステップＳ２１５で測光センサ１２２の出力からカメラの露出値である撮影レンズ１０５の絞り値とフォーカルプレーンシャッタ１３３のシャッタ速度を内蔵されたプログラムにより演算する。
【０１０９】
続くステップＳ２１６において、さらにスイッチＳＷ１４０がＳＷ２まで押し込まれたか否かを判定する。ステップＳ２１６においてＳＷ２がＯＮされたと判定した場合、ステップＳ２１７に進んで、ＣＰＵ１０１は不図示のシャッタ制御部、絞り駆動部、撮像素子制御部１０７に各々信号を送信して、公知の撮影動作を行うこととなる。
【０１１０】
以上、ステップＳ２００〜ステップ２１７までが本実施例におけるカメラの基本動作となる。
【０１１１】
以上、本発明の好ましい実施形態について説明したが、本発明はこれらの実施形態に限定されず、その要旨の範囲内で種々の変形及び変更が可能である。
【符号の説明】
【０１１２】
１０５  撮影レンズ、１０６  撮影レンズ検出部、１１６  ピント板、
１２３  ファインダ内表示部、１２８  ファインダ切換手段、
１３２  ピント板検出手段
【図１】
2019020538.tif 000003
【図２】
2019020538.tif 000004
【図３】
2019020538.tif 000005
【図４】
2019020538.tif 000006
【図５（ａ）】
2019020538.tif 000007
【図５（ｂ）】
2019020538.tif 000008
【図５（ｃ）】
2019020538.tif 000009
【図６】
2019020538.tif 000010
【図７】
2019020538.tif 000011
【図８】
2019020538.tif 000012
【図９】
2019020538.tif 000013